(57)【要約】【課題】火炎等に晒されても障子が閉塞された状態を維持する構造を、コストを抑えつつも容易に備えることが可能な建具を提供する。【解決手段】開口を形成し合成樹脂製の枠体と、合成樹脂製の框体を有し前記開口を閉塞可能に支持された障子と、前記枠体及び前記框体の少なくともいずれか一方に金属製のねじにより固定されている難燃性または不燃性の補強材と、前記補強材に固定され前記障子が前記開口を閉塞した状態を維持可能な閉塞維持ユニットと、を有し、前記閉塞維持ユニットは、前記ねじの頭部に当接される当接板部を有し、前記当接板部が前記補強材に固定されている。【選択図】図５
2020063558.tif 000002
【特許請求の範囲】
【請求項１】
開口を形成し合成樹脂製の枠体と、
合成樹脂製の框体を有し前記開口を閉塞可能に支持された障子と、
前記枠体及び前記框体の少なくともいずれか一方に金属製のねじにより固定されている難燃性または不燃性の補強材と、
前記補強材に固定され前記障子が前記開口を閉塞した状態を維持可能な閉塞維持ユニットと、
を有し、
前記閉塞維持ユニットは、前記ねじの頭部に当接される当接板部を有し、
前記当接板部が前記補強材に固定されていることを特徴とする建具。
【請求項２】
請求項１に記載の建具であって、
前記閉塞維持ユニットは、前記枠体に前記框体を係止する係止ユニットと、前記係止ユニットと前記補強材とを連結する、難燃性または不燃性の連結部材と、を有し、
前記連結部材が前記当接板部を有していることを特徴とする建具。
【請求項３】
請求項２に記載の建具であって、
前記係止ユニットは、出没可能なラッチボルトを有するラッチ機構、または、前記ラッチボルトが係合離脱する受け金具であることを特徴とする建具。
【請求項４】
請求項１乃至請求項３のいずれかに記載の建具であって、
前記ねじは皿ねじであることを特徴とする建具。
【請求項５】
請求項１乃至請求項４のいずれかに記載の建具は、
外倒し窓を構成することを特徴とする建具。
【発明の詳細な説明】
【技術分野】
【０００１】
本発明は、開口を形成する枠体と、開口を閉塞可能に支持された障子と、を有する建具に関する。
【背景技術】
【０００２】
建具の中には、例えば、金属製室外側枠材および断熱材製室内側枠材を有する断熱窓枠と、金属製室外側框材および断熱材製室内側框材を有する断熱框を備えた断熱障子と、を有する断熱性を備えた建具がある（例えば、特許文献１参照)。この建具は、障子を閉塞状態に保つためのラッチ機構を構成する金属製のラッチ受けが、金属製室外側枠材に固着された裏板に断熱材製室内側枠材を挟んでねじ止めされている。このとき、ラッチ受けと裏板との間には断熱材製室内側枠材が介在されているので、火炎等により断熱材製室内側枠材が溶融した際に、ラッチ受けがガタつき、障子の閉塞状態が保たれない虞がある。このため、火炎等に晒されてもラッチ受けがガタつかないように、裏板から突出してラッチ受けに当接するヒレ片やバーリング孔を形成する、或いは、ラッチ受けと裏板との間に筒体を介在させてねじ止めしている。
【先行技術文献】
【特許文献】
【０００３】
【特許文献１】特開２０００−１５４６８５号公報
【発明の概要】
【発明が解決しようとする課題】
【０００４】
上記従来の建具のように、火炎等に晒されても障子が閉塞された状態を保つべく、ラッチ受け等のラッチ機構を構成する部材を固定する部材にヒレ片やバーリング孔等を設けると部品製造において工程が増えるためコストが嵩むことになり、ラッチ機構を構成する部材と固定する部材との間に筒体等の別の部材を介在させてねじ止めすると、部材の点数が増えると共に、作業が繁雑になるという課題がある。
【０００５】
本発明は、かかる課題に鑑みてなされたものであり、その目的とするところは、火炎等に晒されても障子が閉塞された状態を維持する構造を、コストを抑えつつも容易に備えることが可能な建具を提供することにある。
【課題を解決するための手段】
【０００６】
かかる目的を達成するための主たる発明は、開口を形成し合成樹脂製の枠体と、合成樹脂製の框体を有し前記開口を閉塞可能に支持された障子と、前記枠体及び前記框体の少なくともいずれか一方に金属製のねじにより固定されている難燃性または不燃性の補強材と、前記補強材に固定され前記障子が前記開口を閉塞した状態を維持可能な閉塞維持ユニットと、を有し、前記閉塞維持ユニットは、前記ねじの頭部に当接される当接板部を有し、前記当接板部が前記補強材に固定されていることを特徴とする建具である。
本発明の他の特徴については、本明細書及び添付図面の記載により明らかにする。
【発明の効果】
【０００７】
本発明によれば、火炎等に晒されても障子が閉塞された状態を維持する構造を、コストを抑えつつも容易に備えることが可能な建具を提供することが可能である。
【図面の簡単な説明】
【０００８】
【図１】本実施形態に係る建具を示す斜視図である。
【図２】本実施形態に係る建具を示す縦断面図である。
【図３】図２におけるＡ部の拡大図である。
【図４】図３におけるＢ部の断面の拡大図である。
【図５】上框を室外側から見た図である。
【発明を実施するための形態】
【０００９】
以下、本発明の第一実施形態に係る建具について図面を参照して説明する。
本実施形態においては、矩形状の枠体に対して、矩形状の障子の下端がヒンジを介して回動自在に取り付けられており、障子の上部側が室外側に移動することにより障子が倒れて開放される外倒し窓用の建具（以下、単に建具という）を例に挙げて説明する。
【００１０】
以下の説明においては、建物等に取り付けられて障子が閉じた状態の建具１の上下となる方向を上下方向、左右となる方向を左右方向、奥行き方向を見込み方向として示す。建具１の各部位であっても、また、建具１をなす各部材が単体の状態であっても、取り付けられて障子が閉じた状態にて上下方向、左右方向、見込み方向となる方向にて方向を特定して説明する。
【００１１】
建具１は、図１、図２に示すように、矩形状に枠組みされて開口１０ａを形成する枠体１０と、矩形状のガラス２ａの周りを囲む矩形状の框体２０を有し開口１０ａを閉塞可能な障子２と、障子２の上部側が下部側より室外側に移動するように障子２を付勢するダンパー３と、障子２により開口１０ａを閉塞した状態を維持すべく障子２を枠体１０に係止する閉塞維持ユニット４と、閉塞維持ユニット４により開口１０ａを閉塞している状態を維持している障子２の閉塞状体を解除するために操作する解除操作機構１ａと、開放された障子２を閉塞方向に移動させるために操作する移動操作機構１ｂと、を有している。以下の説明においては、枠体１０に対して、開口１０ａを閉塞した状態の障子２が位置する側を内周側、反対側を外周側とし、框体２０に対しては、ガラス２ａが位置する側が内周側、枠体１０が位置する側を外周側として説明する。尚、図１においては、ダンパー３を省略している。
【００１２】
枠体１０は、上下に配置される上枠１１及び下枠１２と、左右に配置される２本の縦枠１３とが枠組みされており、開口１０ａを形成している。各枠１１、１２、１３すなわち上枠１１、下枠１２および２本の縦枠１３は、いずれも同一の断面形状に押出成形された合成樹脂製の部材である。各枠１１、１２、１３は、各々の長手方向における両端が４５度に傾斜しており、互いに隣り合う枠１１、１２、１３は、互いの端同士を突き合わせて溶着されて矩形状をなしている。
【００１３】
障子２を構成する框体２０は、上下に配置される上框２１及び下框２２と、左右に配置される２本の縦框２３とが枠組みされ、各框２１、２２、２３、すなわち上框２１、下框２２および２本の縦框２３の内周側に設けられた溝部にガラス２ａの外周部が収容されている。各框２１、２２、２３は、いずれも同一の断面形状に押出成形された合成樹脂製の部材である。各框２１、２２、２３は、各々の長手方向における両端が４５度に傾斜しており、互いに隣り合う框２１、２２、２３は、互いの端同士を突き合わせて溶着されて矩形状をなしている。
【００１４】
障子２は、下框２２がヒンジ１ｃを介して下枠１２に取り付けられ、回動することにより開口１０ａを開閉可能に設けられており、障子２の左側及び右側において縦枠１３と縦框２３との間に、所謂ショックアブソーバーでなるダンパー３が設けられている。ダンパー３は、長さ方向に圧縮されると伸長方向に付勢するように構成されている。ダンパー３の一方の端部３ａは、ダンパー３を回動自在に支持する下ブラケット３１を介して縦枠１３の下端部側に固定されており、ダンパーの他端部３ｂは、ダンパー３を回動自在に支持する上ブラケット３２を介して障子２の縦框２３の上下方向にける中央付近に固定されている。
【００１５】
枠体１０及び障子２の上部に閉塞維持ユニット４が設けられている。閉塞維持ユニット４は、図１に示すように、上枠１１の左右方向における中央に設けられラッチボルト４１ａ(図３参照)が出没可能なラッチ機構４１と、障子２の上框２１の左右方向における中央に設けられ、突出したラッチボルト４１ａが係止される受け金具４２と、を有する係止ユニット４０と、ラッチ機構４１を後述する枠補強材５と連結する連結部材６している。
【００１６】
ラッチ機構４１には、引っ張ることにより、受け金具４２に係止されたラッチボルト４１ａの係止状態を解除可能な解除用ワイヤ１ｄが繋がっている。解除用ワイヤ１ｄは、上枠１１の左右方向における一方の端部に設けられたプーリーユニット１ｅのプーリー(不図示)に巻き付けられて先端が下方に垂れ下がっている。また、障子２の上框２１に設けられている受け金具４２には、開いた状態の障子２の上部を枠体１０側に引っ張るための閉塞用ワイヤ１ｆが繋がっている。閉塞用ワイヤ１ｆは、上枠１１のラッチ機構４１とともに設けられたプーリー(不図示)と、上枠１１の左右方向における他方の端部に設けられたプーリーユニット１ｇのプーリー(不図示)とに引き回されて先端が下方に垂れ下がっている。
【００１７】
ラッチ機構４１が連結部材６とともに取り付けられる上枠１１は、枠体１０の上側の外周面をなす上外周部１１０と、上外周部１１０から長手方向に沿って上方に突出するヒレ状の上方突出片１１１と、上方突出片１１１の室内側に設けられ上外周部１１０より下方に窪む上溝部１１２と、上溝部１１２より下に設けられ長手方向に貫通する第１中空部１１３と、第１中空部１１３の室内側にて第１中空部１１３よりも下方に延出された下方延出部１１４と、を有している。
【００１８】
第１中空部１１３は、断面形状がほぼ矩形状をなしており、内部に金属製の枠補強材５が収容されている。第１中空部１１３の上面を形成する上面部１１３ａにおける室内側の一部は上溝部１１２の底をなしている。すなわち、上溝部１１２は第１中空部１１３の室内側の部位の上に隣接して設けられている。
【００１９】
上溝部１１２及び第１中空部１１３の室内側には、枠体１０の上面から第１中空部１１３の下面を形成する下面部１１３ｂの高さに亘る領域に第２中空部１１５が設けられており、第２中空部１１５の下に下方延出部１１４が設けられている。第１中空部１１３の上面部１１３ａと下面部１１３ｂとの室内側の縁を繋ぎ、第１中空部１１３の室内側の面を形成する室内壁部１１３ｃは、第１中空部１１３の上に設けられた上溝部１１２の室外側の壁をなす室外上溝壁部１１２ａと繋がっており、室内壁部１１３ｃ及び室外上溝壁部１１２ａが、第２中空部１１５の室外側の面を形成している。
【００２０】
上枠１１は、室内壁部１１３ｃ及び室外上溝壁部１１２ａと室内側に間隔を空けて設けられ、第２中空部１１５の室外側の面を形成する上枠内壁部１１５ａを有している。上枠内壁部１１５ａには、室内側に突出しほぼ水平をなすヒレ状の室内突出片１１５ｂが設けられており、室内突出片１１５ｂは、枠体１０の室内側に設けられている額縁１ｈに固定されている。
【００２１】
室内壁部１１３ｃは、第１中空部１１３及び第２中空部１１５より下に設けられている下方延出部１１４の室外側の壁部をなす室外側延出壁部１１４ａと繋がっている。下方延出部１１４は、室内壁部１１３ｃと繋がる室外側延出壁部１１４ａと、当該室外側延出壁部１１４ａの室内側に間隔を空けて対向する室内側延出壁部１１４ｂとを有している。室外側延出壁部１１４ａと室内側延出壁部１１４ｂとは、上端同士が下面部１１３ｂの室内側にて繋がる上連結部１１４ｃにより、下端同士が下連結部１１４ｄにより、上下方向の中央より僅かに低い位置にて中連結部１１４ｅにより、各々連結されている。すなわち、下方延出部１１４は、上連結部１１４ｃと中連結部１１４ｅとの間、及び、中連結部１１４ｅと下連結部１１４ｄとの間に中空部を有している。
【００２２】
下方延出部１１４の室外側に位置する室外側延出壁部１１４ａには、室外側から当接される上框２１に押圧される気密材１１ａが、中連結部１１４ｅと下連結部１１４ｄとの間に嵌合されて設けられている。下方延出部１１４の室内側に位置する室内側延出壁部１１４ｂには、ラッチ機構４１が取り付けられている。
【００２３】
ラッチ機構４１は、ラッチボルト４１ａが出没するラッチ本体部４１ｂと、ラッチ本体部４１ｂと一体に形成された金属製のラッチ固定部４１ｃとを有している。ラッチ固定部４１ｃは、ラッチ本体部４１ｂの室外側の縁より室外側にて下方延出部１１４の室内側の壁部をなす室内側延出壁部１１４ｂに当接される当接面部４１ｄを有している。当接面部４１ｄには、ねじ４３が貫通される貫通孔４１ｅが設けられており、貫通孔４１ｅを挿通されたねじ４３により下方延出部１１４の室外側に設けられている金属製の連結部材６に固定されている。上枠１１に取り付けられたラッチ機構４１は、ラッチボルト４１ａが下方に突出するように設けられている。
【００２４】
連結部材６は、断面形状がＬ字状をなす２つの板部により形成される連結部６０と、２つの板部の一方にカシメ固定された金属カラー６１と、を有している。連結部材６は、上枠１１の長手方向の長さよりも十分に短いピース部品である。２つの板部は、下面部１１３ｂに対面させて当接される下面当接板部６０ａと、室外側延出壁部１１４ａに対面させて当接される延出壁当接板部６０ｂと、であり、延出壁当接板部６０ｂの室内側に見込み方向に突出させて金属カラー６１が設けられている。
【００２５】
金属カラー６１は、内周面に雌ねじが形成されており、下方延出部１１４の中連結部１１４ｅより上にて室内側延出壁部１１４ｂと室外側延出壁部１１４ａとに設けられた貫通孔１１４ｆに挿通されている。金属カラー６１は、下方延出部１１４を貫通してその先端が、ラッチ固定部４１ｃの室外側の当接面部４１ｄに当接されて、雌ねじに螺合されるねじ４３によりラッチ固定部４１ｃが固定されている。
【００２６】
枠補強材５は、上枠１１の長手方向のほぼ全長に亘る長さを有する部材である。連結部材６の下面当接板部６０ａは、下面部１１３ｂの上の第１中空部１１３内に設けられた金属製の枠補強材５に、左右方向に間隔を空けた２箇所、例えば左右方向における両端部側にて固定ねじ６２により固定されている。
【００２７】
枠補強材５は、断面コ字状をなし、第１中空部１１３内にて上枠１１の下面部１１３ｂと対向する枠補強材下板部５１と、第１中空部１１３内にて上枠１１の上面部１１３ａと対向する枠補強材上板部５２と、枠補強材下板部５１の室外側の縁と枠補強材上板部５２の室外側の縁とを繋ぐ枠補強材上下板部５３と、を有している。枠補強材下板部５１には、下面部１１３ｂ側に加熱発泡材１ｉが設けられており、枠補強材上下板部５３には、室内側及び室外側の面に各々加熱発泡材１ｉが設けられている。
【００２８】
枠補強材５は、図３、図５に示すように、枠補強材下板部５１に上枠１１の下面部１１３ｂが皿ねじ５４により下方から固定されている。皿ねじ５４は、左右方向に間隔を隔てた複数箇所において枠補強材５に螺合されており、枠補強材５に螺合されて連結部材６を固定している２本の固定ねじ６２の間の２箇所に螺合されている。このため、連結部材６は、上枠１１に枠補強材５を固定している皿ねじ５４の頭部５４ａに、下面当接板部６０ａの上面が当接されて枠補強材５に固定されている。
【００２９】
枠補強材上板部５２は、上溝部１１２の下にも位置しており、上溝部１１２内に設けられ上枠１１の上方突出片１１１とともに躯体１００に固定されている躯体固定金具７と、上溝部１１２の底をなす上面部１１３ａと、を貫通するねじ７０が螺合されている。
【００３０】
受け金具４２が取り付けられる上框２１は、ガラス２ａの上端部よりも上方に設けられ、見込み方向に並ぶ室内框中空部２１１と室外框中空部２１２とを有している。室内框中空部２１１と室外框中空部２１２とには、各々金属製の框補強材８０、８１が設けられている。室内框中空部２１１と室外框中空部２１２とは、框体２０の外周側となる上框２１の上面に設けられた框補強材連結金具８に各々ビス止めされて連結されている。受け金具４２は、室内框中空部２１１の室内側の面を形成する框室内壁部２１１ａを介して室内框中空部２１１内の框補強材８０に室内側からねじ止めされている。
【００３１】
受け金具４２は、框室内壁部２１１ａに対面して当接される框固定部４２ａと、框固定部４２ａの下縁から室内側に延出されほぼ水平をなす受け金具延出板部４２ｂと、を有している。受け金具延出板部４２ｂには、ラッチ本体部４１ｂから突出されたラッチボルト４１ａが挿入される挿入孔４２ｃが設けられており、受け金具延出板部４２ｂの室内側の先端部は、先端に向かって低くなる傾斜部４２ｄが設けられている。
【００３２】
室内框中空部２１１内の框補強材８０は、框室内壁部２１１ａの内側に当接される框補強材室内壁部８０ａと、框補強材室内壁部８０ａの上縁から室外側に延出され、室内框中空部２１１の上面を形成する框室内上面部２１１ｂと対向する框補強材上板部８０ｂとを有している。框補強材上板部８０ｂには、框室内上面部２１１ｂ側に加熱発泡材１ｉが設けられている。
【００３３】
室内框中空部２１１の内の框補強材８０は、框補強材上板部８０ｂに、框室内上面部２１１ｂの上に設けられている框補強材連結金具８、框室内上面部２１１ｂ、及び、加熱発泡材１ｉを貫通するねじ８２が螺合されて、室外框中空部２１２の框補強材８１と連結されて設けられている。受け金具４２は框固定部４２ａの室外側の面が框室内壁部２１１ａの室内側の面に当接され、框固定部４２ａと框室内壁部２１１ａとを挿通するねじ８３が框補強材室内壁部８０ａに螺合されて固定されている。
【００３４】
本実施形態の建具１は、障子２が開口１０ａを閉塞する状態で、上枠１１に設けられているラッチ機構４１の下に受け金具４２が配置されており、ラッチ本体部４１ｂから下方に突出するラッチボルト４１ａが受け金具４２の挿入孔４２ｃに挿入されて係止されることにより、障子２が開口１０ａを閉塞している状態が維持されている。そして、解除操作機構１ａを操作することにより、ラッチボルト４１ａが上方に引き上げられて挿入孔４２ｃから脱けるとともにダンパー３に付勢されて障子２の上部側が室外側に移動して閉塞状態が解除される。
【００３５】
本実施形態の建具１によれば、障子２が開口１０ａを閉塞した状態を維持可能なラッチ機構４１を合成樹脂製の枠体１０に固定する連結部材６は、金属製の枠補強材５に固定されている金属製のねじ５４の頭部５４ａに下面当接板部６０ａが当接されているので、火炎等に晒されて枠体１０の下面部１１３ｂが溶融したとしても、下面当接板部６０ａが枠補強材５を固定されている金属製のねじ５４に当接している状態が保たれる。このため、枠体１０が溶融したとしても、枠補強材５に固定されたラッチ機構４１にがたつきが生じることはない。このため、たとえ、火炎に晒されたとしても、障子２により開口１０ａが閉塞されている状態を維持することが可能である。
【００３６】
また、下面当接板部６０ａが当接される皿ねじ５４は、枠補強材５を上枠１１に固定するための皿ねじ５４なので、ラッチ機構４１が設けられていなくとも必ず用いられる。このため、必ず設けられる皿ねじ５４を下面当接板部６０ａが当接される位置に配置するだけで、火炎に晒されたとしても、障子２により開口１０ａが閉塞されている状態を維持することが可能な構成を備えた建具１を実現することが可能である。このため、火炎等に晒されても障子２が閉塞された状態を維持する構造を、コストを抑えつつも容易に備えることが可能な建具１を提供することが可能である。
【００３７】
このとき、ラッチ機構４１は、金属製の連結部材６に連結されているので、火炎に晒されたとしても、ラッチ機構４１と連結部材６との連結状態は変わらず、ラッチ機構４１は連結部材６と緩みなく固定されている。また、連結部材６が有している当接板部としての下面当接板部６０ａが金属製のねじ５４の頭部５４ａに当接されているので、ラッチ機構４１と枠補強材５との間に連結部材６が介在される構成の建具１が火炎に晒されたとしても、ラッチボルト４１ａが受け金具４２に係合した状態を維持して、障子２により開口１０ａが閉塞されている状態を維持することが可能である。このため、上述した建具１のように、上枠内壁部１１５ａから室内側に突出する室内突出片１１５ｂが枠体１０の室内側に設けられている額縁１ｈに固定されて、ラッチ機構４１などの閉塞維持ユニットを直接、枠補強材５に取り付けられない位置であっても、連結部材６を介して閉塞維持ユニットを取り付け、障子２により開口１０ａが閉塞されている状態を維持することが可能である。
【００３８】
また、下面当接板部６０ａが当接されるねじを頭部５４ａが平坦な皿ねじ５４としたので、連結部材６に固定されているラッチ機構４１をより安定した状態に保つことが可能である。
【００３９】
上記実施形態においては、閉塞維持ユニット４が、係止ユニット４０と、連結部材６とを有している例について説明したが、連結部材は必ずしも設けられていなくとも構わない。この場合には、係止ユニットが枠補強材を枠体に固定するねじの頭部に当接される当接板部が設けられている。また、上記実施形態においては、係止ユニット４０のラッチ機構４１が下面当接板部６０ａを有する連結部材６を介して枠補強材５に固定される例について説明したが、これに限らず、受け金具または障子が開口を閉塞した状態を維持させる他の部材が、当接板部を有する連結部材を介して、または、框補強材に固定されているねじに当接させて框補強材に固定されていても構わない。
【００４０】
上記実施形態においては、枠補強材及び框補強材を金属製としたが、これに限らず、例えば、難燃性または不燃性の材料により形成されていれば構わない。
【００４１】
上記実施形態においては、下面当接板部６０ａが当接されるねじを皿ねじ５４とした例について説明したが、これに限るものではない。なべねじやバインドねじなど頭部が平坦なねじでなくとも、例えば、例えば、３本のねじの頭部に当接させるなど、閉塞維持ユニット４を安定した状態で固定できる構成であれば構わない。
【００４２】
上記実施形態においては、外倒し窓用の建具を例に挙げて説明したが、これに限るものではなく、内倒し窓、突き出し窓など、回動することにより開放される窓を構成する建具であれば構わない。
【００４３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４４】
本実施形態には、少なくとも以下の発明が含まれる。
開口を形成し合成樹脂製の枠体と、合成樹脂製の框体を有し前記開口を閉塞可能に支持された障子と、前記枠体及び前記框体の少なくともいずれか一方に金属製のねじにより固定されている難燃性または不燃性の補強材と、前記補強材に固定され前記障子が前記開口を閉塞した状態を維持可能な閉塞維持ユニットと、を有し、前記閉塞維持ユニットは、前記ねじの頭部に当接される当接板部を有し、前記当接板部が前記補強材に固定されていることを特徴とする建具である。
【００４５】
このような建具によれば、難燃性または不燃性の補強材に固定され障子が開口を閉塞した状態を維持可能な閉塞維持ユニットは、合成樹脂製の枠体又は框体に補強材が固定されている金属製のねじの頭部に当接板部が当接されているので、火炎等に晒されて枠体又は框体が溶融したとしても、当接板部が補強材を固定されている金属製のねじに当接している状態が保たれる。このため、枠体又は框体が溶融したとしても、補強材に固定された閉塞維持ユニットにがたつきが生じることはない。このため、たとえ、火炎に晒されたとしても、障子により開口が閉塞されている状態を維持することが可能である。
【００４６】
また、当接板部が当接されるねじは、補強材を枠体に固定するためのねじなので、閉塞維持ユニットが設けられていなくとも必ず用いられる。このため、必ず設けられるねじを当接板部が当接される位置に配置するだけで、火炎に晒されたとしても、障子により開口が閉塞されている状態を維持することが可能な構成を備えた建具を実現することが可能である。このため、火炎等に晒されても障子が閉塞された状態を維持する構造を、コストを抑えつつも容易に備えることが可能な建具を提供することが可能である。
【００４７】
かかる建具であって、
前記閉塞維持ユニットは、前記枠体に前記框体を係止する係止ユニットと、前記係止ユニットと前記補強材とを連結する難燃性または不燃性の連結部材と、を有し、前記連結部材が前記当接板部を有していることを特徴とする。
【００４８】
このような建具によれば、係止ユニットは、難燃性または不燃性の連結部材に連結されているので、火炎に晒されたとしても、係止ユニットと連結部材との連結状態は変わらない。また、連結部材が有している当接板部が金属製のねじの頭部に当接されるので、係止ユニットと補強材との間に連結部材が介在される構成であっても、火炎に晒されたとしても、障子により開口が閉塞されている状態を維持することが可能である。このため、構造上、閉塞維持ユニットを直接取り付けられない位置であっても、連結部材を介して閉塞維持ユニットを取り付けることが可能である。
【００４９】
かかる建具であって、前記係止ユニットは、出没可能なラッチボルトを有するラッチ機構、または、前記ラッチボルトが係合離脱する受け金具であることを特徴とする。
【００５０】
このような建具によれば、火炎に晒されてもラッチ機構または受け金具はガタつかないように取り付けられているので、ラッチボルトが受け部材に係合した状態を維持することが可能である。このため、障子が開口を閉塞した状態を維持することが可能である。
【００５１】
かかる建具であって、前記ねじは皿ねじであることを特徴とする。
このような建具によれば、火炎に晒されて枠体または框体が溶融したときには当接板部はねじの頭部に支持されることになる。このとき、補強材を固定しているねじは、頭部が平坦な皿ねじなので、閉塞維持ユニットをより安定した状態に保つことが可能である。
【００５２】
かかる建具は、外倒し窓を構成することを特徴とする。
このような建具によれば、火炎に晒されても、障子が開放されにくい外倒し窓を提供することが可能である。
【符号の説明】
【００５３】
１  建具、２  障子、４  閉塞維持ユニット、５  枠補強材、
６  連結部材、１０  枠体、１０ａ  開口、１１  上枠、２０  框体、
４０  係止ユニット、４１  ラッチ機構、４１ａ  ラッチボルト、
４２  受け金具、５４  皿ねじ（ねじ）、５４ａ  頭部、６０  連結部、
６０ａ  下面当接板部、６１  金属カラー、
【図１】
2020063558.tif 000003
【図２】
2020063558.tif 000004
【図３】
2020063558.tif 000005
【図４】
2020063558.tif 000006
【図５】
2020063558.tif 000007